(57)【要約】      （修正有）【課題】貯留槽の満水面より下方の比較的低所に設置し得る濾過装置を得る。【解決手段】上側鉛直管２１ａの下部と下側鉛直管２１ｂの上部が上下方向から取付けられ雨水流通室２３とバルブ室２４とを有するハウジング２２と、雨水流通室とバルブ室との間を移動可能にハウジングに収納され雨水流通室で下側雨水孔２３ｂを閉塞する比重１未満のボール弁２９と、雨水流通室からバルブ室に至った雨水を貯留する収納室２７と、ボール弁により塞がれてバルブ室を密閉可能な弁座用開口部２４ｂと、上昇するボール弁を雨水流通室からバルブ室に案内する上側案内部材３１と、下降するボール弁をバルブ室から雨水流通室に案内する下側案内部材３２とを備える。弁座用開口部を介して出し入れ可能に構成された第１ストレーナ２６が下側雨水孔に取外し可能に取付けられ、収納室に流入する雨水を濾過する第２ストレーナ３３が収納室に取外し可能に取付けられる。【選択図】図１
2006144504.tif 000002
【特許請求の範囲】
【請求項１】
上側鉛直管(21a)と前記上側鉛直管(21a)と同軸の下側鉛直管(21b)の間に介装され前記上側鉛直管(21a)を流下する雨水を濾過して前記下側鉛直管(21b)に案内する流下雨水の濾過装置(20)であって、
前記上側鉛直管(21a)の下部と前記下側鉛直管(21b)の上部が上下方向から取付けられ前記上側鉛直管(21a)と前記下側鉛直管(21b)の間に介装される雨水流通室(23)と前記雨水流通室(23)に隣接するバルブ室(24)とを有するハウジング(22)と、
前記雨水流通室(23)の上部に形成され前記雨水流通室(23)を前記上側鉛直管(21a)に連通させて前記上側鉛直管(21a)を流下する雨水を前記雨水流通室(23)に流入させる上側雨水孔(23a)と、
前記雨水流通室(23)の下部に形成され前記雨水流通室(23)を前記下側鉛直管(21b)に連通させて前記雨水流通室(23)に流入した雨水を前記下側鉛直管(21b)に流下させる下側雨水孔(23b)と、
前記雨水流通室(23)と前記バルブ室(24)との間を移動可能に前記ハウジング(22)に収納され前記雨水流通室(23)内の雨水が所定量未満であって前記雨水流通室(23)に位置するときに前記下側雨水孔(23b)を閉塞する比重１未満のボール弁(29)と、
前記バルブ室(24)に連通して前記ハウジング(22)の下部に設けられ前記雨水流通室(23)から前記バルブ室(24)に至った雨水を貯留する収納室(27)と、
前記収納室(27)に対向するハウジング(22)の上部に前記バルブ室(24)を開放するように形成され前記雨水流通室(23)内の雨水が所定量以上であって前記ボール弁(29)が前記バルブ室(24)に位置するとき前記ボール弁(29)により塞がれて前記バルブ室(24)を密閉可能な弁座用開口部(24b)と、
前記雨水流通室(23)に設けられ前記雨水流通室(23)で上昇する前記ボール弁(29)を前記雨水流通室(23)から前記バルブ室(24)に案内する上側案内部材(31)と、
前記バルブ室(24)に設けられ前記バルブ室(24)で下降する前記ボール弁(29)を前記バルブ室(24)から前記雨水流通室(23)に案内する下側案内部材(32)と
を備えたことを特徴とする流下雨水の濾過装置。
【請求項２】
弁座用開口部(24b)を介して出し入れ可能に構成され雨水流通室(23)の雨水を濾過して下側鉛直管(21b)に流下させる第１ストレーナ(26)が下側雨水孔(23b)に取外し可能に取付けられ、収納室(27)がボール弁(29)を収容可能に構成され、下側案内部材(32)が折畳み可能に構成され伸長状態でバルブ室(24)で下降する前記ボール弁(29)を前記バルブ室(24)から雨水流通室(23)に案内し折畳み状態で前記バルブ室(24)と前記収納室(27)間の前記ボール弁(29)の移動を許容するように構成された請求項１記載の流下雨水の濾過装置。
【請求項３】
弁座用開口部(24b)を介して出し入れ可能に構成され雨水流通室(23)からバルブ室(24)を介して収納室(27)に流入する雨水を濾過する第２ストレーナ(33)が前記収納室(27)に取外し可能に取付けられ、前記収納室(27)に流入した雨水を外部に排出する小径孔(27b)が前記収納室(27)の下部に設けられた請求項２記載の流下雨水の濾過装置。
【請求項４】
下側雨水孔(23b)の内周縁にリング状の突起(25)が上方に突出して形成され、前記突起(25)の上縁に第１ストレーナ(26)の周縁が設置されて前記第１ストレーナ(26)が前記下側雨水孔(23b)に取外し可能に取付けられた請求項２又は３記載の流下雨水の濾過装置。
【請求項５】
請求項１ないし４いずれか１項に記載された濾過装置(20)と、
前記濾過装置(20)より上方に雨水取入口(11a)を有する雨水貯留槽(11a)と、
下側鉛直管(21b)の下端に一端が接続され他端が前記雨水取入口(11a)に接続された雨水案内管(16)とを備え、
上側鉛直管(21a)の上端が前記雨水取入口(11a)より上方に位置するように構成された雨水貯留装置。
【請求項６】
上側鉛直管(21a)及び下側鉛直管(21b)及び雨水案内管(16)の各内部に存在する雨水を外部に排出可能なドレンバルブ(17)が前記下側鉛直管(21b)又は前記雨水案内管(16)に設けられた請求項５記載の雨水貯留装置。
【請求項７】
下側鉛直管(21b)の下端又は雨水案内管(16)に前記雨水案内管(16)から前記下側鉛直管(21b)に向かう雨水流を防止するように構成された逆流防止弁(41)が設けられた請求項５又は６記載の雨水貯留装置。
【発明の詳細な説明】
【技術分野】
【０００１】
本発明は、建物の屋根又は屋上に落下して流下する雨水に混入する異物を除去する流下雨水の濾過装置及びこれを用いた雨水貯留装置に関するものである。
【背景技術】
【０００２】
従来、雨水から砂や微細な塵埃を除去してこれを貯留し、有効利用することが行われている。そして雨水から砂や塵埃を除去する雨水の濾過装置が提案されている（例えば、特許文献１参照。）。この濾過装置は、外管とこの外管の中に設けられる内管とからなり、この外管には鉛直部が形成され、外管の上端は雨樋に接続される。外管の下端は下水道管渠に連通する集水桝に接続される。内管の上端の外周縁は上記鉛直部の内周面と所定の間隔をおいて配置される。内管の下端は雨水の貯留槽に接続される。外管の鉛直部の一部の内径が連続的に変化して形成され、内管の上部の位置を上下方向に移動して上記所定の間隔を調整可能に構成される。内管の上端近傍の外管には開口部が設けられ、この開口部には開口部を開閉可能な蓋が設けられる。
【０００３】
この濾過装置では、雨樋から流下する雨水は外管の鉛直部の内周面に付着したまま層状に流下する。降雨強度（ｍｍ／時）が下水道管渠及び河川の流下能力を越えない中小規模の降雨時には、鉛直部の内周面上を流下する雨水の層の厚みは内筒上端の外周縁と鉛直部の内周面との間隔より小さいため、外管のみに流下し集水桝を経由して下水道管渠に流れ、内管には流れない。
降雨強度が下水道管渠等の流下能力を越える大規模の降雨時には、鉛直部の内周面上を流下する雨水の層の厚みは上記間隔より大きくなるため、内管にも雨水が流下して雨水貯留槽に流入する。この結果、下水道管渠や河川の流下能力を越える降雨強度の時に限り雨樋からの雨水を貯留槽に分流でき、簡単な構造で既存の雨樋の僅かなスペースに設置でき、かつ雨樋から入込む砂や微細な塵埃を除去して貯留槽に雨水を導くようになっている。
【特許文献１】特開昭６４−８３７３８号公報（特許請求の範囲、図１）
【発明の開示】
【発明が解決しようとする課題】
【０００４】
しかし、上述した従来の雨水濾過装置を用いて分流された雨水を貯留槽に貯留する場合には、その濾過装置を貯留槽の満水面より上方に設けなければ分流された雨水が自重により貯留槽まで達しないので、その濾過装置は比較的高所に取付けなければならない不具合があった。そして濾過装置を高所に取付けると、その濾過装置の点検は脚立等の台を用いて行うことを必要とし、日常点検が比較的困難になる問題点があった。
本発明の目的は、貯留槽の満水面より下方の比較的低所に設置し得る流下雨水の濾過装置及びこれを用いた雨水貯留装置を提供することにある。
【課題を解決するための手段】
【０００５】
請求項１に係る発明は、図１に示すように、上側鉛直管２１ａと上側鉛直管２１ａと同軸の下側鉛直管２１ｂの間に介装され上側鉛直管２１ａを流下する雨水を濾過して下側鉛直管２１ｂに案内する流下雨水の濾過装置２０である。
その特徴ある構成は、上側鉛直管２１ａの下部と下側鉛直管２１ｂの上部が上下方向から取付けられ上側鉛直管２１ａと下側鉛直管２１ｂの間に介装される雨水流通室２３と雨水流通室２３に隣接するバルブ室２４とを有するハウジング２２と、雨水流通室２３の上部に形成され雨水流通室２３を上側鉛直管２１ａに連通させて上側鉛直管２１ａを流下する雨水を雨水流通室２３に流入させる上側雨水孔２３ａと、雨水流通室２３の下部に形成され雨水流通室２３を下側鉛直管２１ｂに連通させて雨水流通室２３に流入した雨水を下側鉛直管２１ｂに流下させる下側雨水孔２３ｂと、雨水流通室２３とバルブ室２４との間を移動可能にハウジング２２に収納され雨水流通室２３内の雨水が所定量未満であって雨水流通室２３に位置するときに下側雨水孔２３ｂを閉塞する比重１未満のボール弁２９と、バルブ室２４に連通してハウジング２２の下部に設けられ雨水流通室２３からバルブ室２４に至った雨水を貯留する収納室２７と、収納室２７に対向するハウジング２２の上部にバルブ室２４を開放するように形成され雨水流通室２３内の雨水が所定量以上であってボール弁２９がバルブ室２４に位置するときボール弁２９により塞がれてバルブ室２４を密閉可能な弁座用開口部２４ｂと、雨水流通室２３に設けられ雨水流通室２３で上昇するボール弁２９を雨水流通室２３からバルブ室２４に案内する上側案内部材３１と、バルブ室２４に設けられバルブ室２４で下降するボール弁２９をバルブ室２４から雨水流通室２３に案内する下側案内部材３２とを備えたことを特徴とする。
【０００６】
この請求項１に記載された流下雨水の濾過装置では、雨が降り始めた際には雨水流通室２３内の雨水は所定量未満であるので、ボール弁２９は下側案内部材３２によりバルブ室２４から雨水流通室２３に案内されることにより、その雨水流通室２３にあって下側雨水孔２３ｂを閉塞している。従って、雨が降り始めた際の初期雨水は比較的多くの塵埃が含まれているけれども、この塵埃が比較的多く含まれる初期雨水が雨水流通室２３から下側雨水孔２３ｂを介して下側鉛直管２１ｂに流下することを確実に防止することができる。ここで、その初期雨水は雨水流通室２３からバルブ室２４を介して収納室２７に流下してその収納室２７に貯留される。
【０００７】
一方、その収納室２７が雨水で満たされた後には、雨水流入室２３及びバルブ室２４に雨水が溜まり始め、その水位が上昇すると比重１未満のボール弁２９が浮上して下側雨水孔２３ｂが開放され、その後上側鉛直管２１ａから流下する比較的塵埃の少ないきれいな雨水が雨水流通室２３からその下側雨水孔２３ｂを介して下側鉛直管２１ｂに流入する。そして、図２に示すように、その水位が更に上昇するとボール弁２９は上側案内部材３１により雨水流通室２３からバルブ室２４に案内され、弁座用開口部２４ｂを塞いでバルブ室２４を密閉する。このため、図８に示すように、この濾過装置２０を貯留槽１１の雨水取入口１１ａより下方に位置させても、雨水が濾過装置２０における弁座用開口部２４ｂから漏れ出すことはなく、その雨水を貯留槽１１に流入させることができる。
【０００８】
請求項２に係る発明は、請求項１に係る発明であって、弁座用開口部２４ｂを介して出し入れ可能に構成され雨水流通室２３の雨水を濾過して下側鉛直管２１ｂに流下させる第１ストレーナ２６が下側雨水孔２３ｂに取外し可能に取付けられ、収納室２７がボール弁２９を収容可能に構成され、下側案内部材３２が折畳み可能に構成され伸長状態でバルブ室２４で下降するボール弁２９をバルブ室２４から雨水流通室２３に案内し折畳み状態でバルブ室２４と収納室２７間のボール弁２９の移動を許容するように構成されたことを特徴とする。
この請求項２に記載された流下雨水の濾過装置では、下側雨水孔２３ｂを介して下側鉛直管２１ｂに流入する雨水に混入する異物を第１ストレーナ２６により除去することができる。一方、第１ストレーナ２６には異物が堆積するけれども、図４に示すように、下側案内部材３２を折り畳んでボール弁２９を収納室２７に落とし込めば、弁座用開口部２４ｂを介して第１ストレーナ２６を雨水流通室２３から取出すことができ、濾過装置２０を比較的低所の点検作業が容易な位置に設けることにより、その第１ストレーナ２６の点検が容易になる。
【０００９】
請求項３に係る発明は、請求項２に係る発明であって、弁座用開口部２４ｂを介して出し入れ可能に構成され雨水流通室２３からバルブ室２４を介して収納室２７に流入する雨水を濾過する第２ストレーナ３３が収納室２７に取外し可能に取付けられ、収納室２７に流入した雨水を外部に排出する小径孔２７ｂが収納室２７の下部に設けられたことを特徴とする。
この請求項３に記載された流下雨水の濾過装置では、収納室２７に流入する初期雨水に混入する異物を第２ストレーナ３３により捕獲することができる。従って、この第２ストレーナ３３には比較的多くの異物が堆積するけれども、図３に示すように、下側案内部材３２を折り畳めば弁座用開口部２４ｂを介して第２ストレーナ３３を収納室２７から取出すことができ、濾過装置２０を比較的低所の点検作業が容易な位置に設けることにより、その第２ストレーナ３３の点検が容易になる。また、初期雨水に比較的多く存在する塵埃により収納室２７は比較的汚れやすいけれども、その第２ストレーナ３３を設けることによりその汚れを減少させることができる。更に、小径孔２７ｂを収納室２７の下部に設けるので、収納室２７に流入して貯留された初期雨水はその小径孔２７ｂから徐々に外部に排出され、雨がやんのだ後にまで収容室２７に雨水が貯留されるような事態を有効に回避することができる。
【００１０】
請求項４に係る発明は、請求項２又は３に係る発明であって、下側雨水孔２３ｂの内周縁にリング状の突起２５が上方に突出して形成され、突起２５の上縁に第１ストレーナ２６の周縁が設置されて第１ストレーナ２６が下側雨水孔２３ｂに取外し可能に取付けられたことを特徴とする。
この請求項４に記載された流下雨水の濾過装置では、雨が降り始めた際の比較的塵埃を多く含む初期雨水を突起２５の周囲からバルブ室２２を介して収納室２７に貯留させることができる。そして、第１ストレーナ２６を上方に持ち上げるだけの比較的簡単な作業でその第１ストレーナ２６を雨水流通室２３から取り出すことができ、その点検作業を比較的容易にすることができる。
【００１１】
請求項５に係る発明は、図８に示すように、請求項１ないし４いずれか１項に記載された濾過装置２０と、濾過装置２０より上方に雨水取入口１１ａを有する雨水貯留槽１１ａと、下側鉛直管２１ｂの下端に一端が接続され他端が雨水取入口１１ａに接続された雨水案内管１６とを備え、上側鉛直管２１ａの上端が雨水取入口１１ａより上方に位置するように構成された雨水貯留装置である。
この請求項５に記載された雨水貯留装置では、濾過装置２０で濾過されて下側鉛直管２１ｂ及び雨水案内管１６の各内部に溜まった雨水は、その水位が上昇して雨水取入口１１ａに達することによりその取入口１１ａから貯留槽１１の内部に流入して貯留され、必要に応じて取出すことにより利用することができる。
【００１２】
請求項６に係る発明は、請求項５に係る発明であって、上側鉛直管２１ａ及び下側鉛直管２１ｂ及び雨水案内管１６の各内部に存在する雨水を外部に排出可能なドレンバルブ１７が下側鉛直管２１ｂ又は雨水案内管１６に設けられた雨水貯留装置である。
この請求項６に記載された雨水貯留装置では、濾過装置２０により大半の塵埃は除去されるものの、長期的にこの濾過装置２０を使用すると、この濾過装置２０をわずかながら通過した異物が沈降して下側鉛直管２１ｂ及び雨水案内管１６の各内部に沈殿するおそれがある。このため、下側鉛直管２１ｂ及び雨水案内管１６の各内部は所定期間毎に洗浄する必要がある。この請求項６に係る雨水貯留装置では、ドレンバルブ１７を開放することにより下側鉛直管２１ｂ及び雨水案内管１６の各内部に水を流通させることができ、この内部に水を流通させることにより、下側鉛直管２１ｂ及び雨水案内管１６の各内部に沈殿した異物を外部に容易に排出させることができる。
【００１３】
請求項７に係る発明は、請求項５又は６に係る発明であって、図９に示すように、下側鉛直管２１ｂの下端又は雨水案内管１６に雨水案内管１６から下側鉛直管２１ｂに向かう雨水流を防止するように構成された逆流防止弁４１が設けられた雨水貯留装置である。
この請求項７に係る雨水貯留装置では、下側鉛直管２１ｂから濾過装置２０を経て上側鉛直管２１ａに連通している雨水案内管１６の一端側の水位が、雨水貯留槽１１に連通している雨水案内管１６の他端側の水位より低くなったとしても、雨水案内管１６から下側鉛直管２１ｂに雨水が逆流しないので、雨水取入口１１ａを雨水貯留槽１１の低位置、例えば底の近くに取付けることが可能になり、その雨水取入口１１ａに他端が接続されて地表に表出する雨水案内管１６を短くして装置全体の美感を向上させることができる。
【発明の効果】
【００１４】
本発明の流下雨水の濾過装置では、雨水流通室とバルブ室とを有するハウジングと、雨水流通室とバルブ室との間を移動可能にハウジングに収納され雨水流通室に位置するときに下側雨水孔を閉塞する比重１未満のボール弁と、雨水流通室からバルブ室に至った雨水を貯留する収納室と、ボール弁がバルブ室に位置するときボール弁により塞がれてバルブ室を密閉可能な弁座用開口部と、上昇するボール弁を雨水流通室からバルブ室に案内する上側案内部材と、下降するボール弁をバルブ室から雨水流通室に案内する下側案内部材とを備えたので、ボール弁が下側雨水孔を閉塞して塵埃が比較的多く含まれる初期雨水が雨水流通室から下側鉛直管に流下することを確実に防止することができる。初期雨水で収納室が満たされた後においてボール弁が浮上し、その後上側鉛直管から流下する比較的塵埃の少ないきれいな雨水を下側雨水孔を介して下側鉛直管に流入させることができる。
【００１５】
一方、水位が上昇するとボール弁は弁座用開口部を塞いでバルブ室を密閉する。このため、この濾過装置を貯留槽の雨水取入口より下方に位置させても、雨水が濾過装置における弁座用開口部から漏れ出すことはなく、その雨水を貯留槽に流入させることができる。そして、第１ストレーナを下側雨水孔に取外し可能に取付ければ、下側雨水孔を介して下側鉛直管に流入する雨水に混入する異物を第１ストレーナにより除去することができ、第２ストレーナを収納室に取外し可能に取付ければ、初期雨水に混入する異物を第２ストレーナにより捕獲することができる。更に、この第１及び第２ストレーナを弁座用開口部を介して取外し可能に取付けることによりその点検作業を容易に行うことができる。
また、このような濾過装置と、濾過装置より上方に雨水取入口を有する雨水貯留槽と、下側鉛直管の下端に一端が接続され他端が雨水取入口に接続された雨水案内管とを備え、上側鉛直管の上端が雨水取入口より上方に位置するように構成された雨水貯留装置では、濾過装置で濾過されて下側鉛直管及び雨水案内管の各内部に溜まった雨水は、その水位が上昇して雨水取入口に達することによりその取入口から貯留槽の内部に流入して貯留され、必要に応じて取出すことにより利用することができる。
【発明を実施するための最良の形態】
【００１６】
次に本発明を実施するための最良の形態を図面に基づいて説明する。
図８に示すように、本発明の雨水貯留装置１０は、雨水を貯留するための雨水貯留槽１１と、その雨水貯留槽１１に雨水を供給するための雨水流入管１２と、その雨水流入管１２の下端に上端が接続された上側鉛直管２１ａと、この上側鉛直管２１ａと同軸の下側鉛直管２１ｂと、上側鉛直管２１ａと下側鉛直管２１ｂとの間に介装された流下雨水の濾過装置２０とを備える。図における雨水流入管１２は家屋１３の屋根１３ａの縁に設けられた雨樋１４に上端が接続された筒状物であり、家屋１３の屋根１３ａに落ちた雨が雨樋１４に流入して集められ、集められた雨水は雨樋１４から雨水流入管１２に進入し、上側鉛直管２１ａに流下するように構成される。そして、濾過装置２０は上側鉛直管２１ａを流下する雨水を濾過して下側鉛直管２１ｂに案内するものであり、下側鉛直管２１ｂの下端と貯留槽１１とは雨水案内管１６により接続される。
【００１７】
図１〜図５に示すように、濾過装置２０は、上側鉛直管２１ａの下部と下側鉛直管２１ｂの上部が上下方向から取付けられたハウジング２２を備える。ハウジング２２は上方から見た場合に長径が鉛直管２１ａ，２１ｂの外径の略２倍であって短径が鉛直管２１ａ，２１ｂの外径より僅かに大きな長円形状を有する大きさに形成され（図５）、樹脂成型品からなる上蓋２２ａと下蓋２２ｂの周囲を嵌着することにより作られる。ハウジング２２の一方の端の上部には上側鉛直管２１ａの下部が挿入される上短管２２ｃが設けられ、その上短管２２ｃに対向するハウジング２２の一方の端の下部には下側鉛直管２１ｂの上部が嵌入する下短管２２ｄが設けられる。この上短管２２ｃに上側鉛直管２１ａの下部を挿入し下短管２２ｄに下側鉛直管２１ｂの上部を嵌入させることによりそれらがハウジング２２に上下方向から取付けられる。そして、ハウジング２２の内部には上側鉛直管２１ａと下側鉛直管２１ｂの間に介装される雨水流通室２３とその雨水流通室２３に隣接するバルブ室２４が形成される。
【００１８】
図１〜図４に示すように、雨水流通室２３の上部には、その雨水流通室２３を上側鉛直管２１ａに連通させて上側鉛直管２１ａを流下する雨水を雨水流通室２３に流入させる上側雨水孔２３ａが形成される。一方、雨水流通室２３の下部には、その雨水流通室２３を下側鉛直管２１ｂに連通させて雨水流通室２３に流入した雨水を下側鉛直管２１ｂに流下させる下側雨水孔２３ｂが形成される。下側雨水孔２３ｂの内周縁にはリング状の突起２５が上方に突出して形成され、この突起２５の上縁に第１ストレーナ２６の周縁が設置されてその第１ストレーナ２６が下側雨水孔２３ｂに取外し可能に取付けられる。この実施の形態における第１ストレーナ２６は金網を有底円筒状に成形したものであって、有底円筒状のストレーナ２６の外径はリング状の突起２５の内径よりわずかに小さくなるように形成され、ストレーナ２６の開口部周縁には突起２５の上端に設置可能なフランジ２６ａが形成される。このストレーナ２６では、そのフランジ２６ａを突起２５に設置して、有底筒部を下側雨水孔２３ｂに挿入することにより、下側雨水孔２３ｂに取外し可能に取付けられる。
【００１９】
一方、ハウジング２２の他方の端の下部には下短管２２ｄに隣接して他短管２２ｅが設けられる。この他短管２２ｅには内部が収納室２７を形成する有底筒状の収納ケース２７ａが下方から嵌着されて、その収納ケース２７ａがハウジング２２の下部に設けられる。バルブ室２４の下部にはこのバルブ室２４を収納室２７に連通させて雨水流通室２３からバルブ室２４に至った雨水を収納室２７に更に流下させてその収納室２７に貯留させる流入孔２４ａが形成される。そして収納室２７の底部にはこの収納室２７に流入した雨水を排出する排水バルブ２８とその雨水を僅かながら排出させる小径孔２７ｂが設けられる。
【００２０】
小径孔２７ｂは断面円形であってその直径が０．８〜１．５ｍｍの孔である。この小径孔２７ｂは、収納室２７に流入して貯留された初期雨水を徐々に外部に排出し、雨がやんのだ後にこの収納室２７を空にし、雨が止んだ後まで収容室２７に雨水が貯留されるような事態を回避するためのものである。このため、この濾過装置２０では、この小径孔２７ｂの存在により、一旦雨が止んだ後に再び雨が降った場合における初期雨水を収納室２７に確実に貯留させることができるように構成される。但し、この小径孔２７ｂは比較的詰まりやすいので、その詰まりを防止するために、小径孔２7ｂを上側から覆う縦長の網２７ｃが収納室２７に設けられる。この網２7ｃは縦長にすることによりその濾過面積を拡大させ網２７ｃの目詰まりを防止するように構成される。
【００２１】
図６及び図７に示すように、排水バルブ２８は、筒体２８ａとその筒体２８ａの下側雨水孔２８ｂを遮断してかつ回転可能に設けられた回転弁２８ｃとを備える。下側雨水孔２８ｂは断面円形であってその直径が８〜１５ｍｍの孔である。回転弁２８ｃには下側雨水孔２８ｂと同一の孔径の大径孔２８ｄが形成される。この排水バルブ２８は、回転弁２８ｃを回転させて図６に示すように大径孔２８ｄの軸心を下側雨水孔２８ｂの軸心と直交させることにより貯留室２７に流入した雨水をその貯留室２７に貯留させるとともに、回転弁２８ｃを回転させて図７に示すように大径孔２８ｄの軸心を下側雨水孔２８ｂの軸心に合致させることにより、貯留室２７に貯留された雨水をこの大径孔２８ｄを介して比較的速やかに外部に排出させるように構成される。
【００２２】
図１〜図４に戻って、ハウジング２２には、雨水流通室２３とバルブ室２４との間を移動可能なボール弁２９が収納される。このボール弁２９は比重が１未満のボールからなる弁であって、そのボール弁２９により塞がれてバルブ室２４を密閉可能な弁座用開口部２４ｂが収納室２７に対向するハウジング２２の上部にバルブ室２４を開放するように形成される。弁座用開口部２４ｂの縁にはパッキン３０が嵌着され、ボール弁２９は雨水流通室２３内の雨水が所定量以上である場合にバルブ室２４内を浮上してパッキン３０に当接し、これによりボール弁２９は弁座用開口部２４ｂを塞いでそのバルブ室２４を密閉するように構成される。そして、弁座用開口部２４ｂは第１ストレーナ２６が挿通可能な大きさに形成され、ハウジング２２の上面にはこの弁座用開口部２４ｂを覆うように蓋体２２ｆが取外し可能に設置され、蓋体には作業員が把持するつまみ部２２ｇが形成される。
【００２３】
また、雨水流通室２３には、この雨水流通室２３で上昇するボール弁２９をその雨水流通室２３からバルブ室２４に案内する上側案内部材３１が設けられ、バルブ室２４には、このバルブ室２４で下降するボール弁２９をそのバルブ室２４から雨水流通室２３に案内する下側案内部材３２が設けられる。上側案内部材３１は、雨水流入室２３の上部にその雨水流入室２３を横断してバルブ室２４に向かって上方になるように傾斜する板材である（図５）。一方、下側案内部材３２は、バルブ室２４の下部にそのバルブ室２４を横断して雨水流入室２３に向かって下方になるように傾斜する板材であって、折畳み可能に構成される。この下側案内板３２は、伸長状態でバルブ室２４で下降するボール弁２９をバルブ室２４から雨水流通室２３に案内し、折畳み状態でバルブ室２４と収納室２７間のボール弁２９の移動を許容するように構成される。
【００２４】
収納室２７はボール弁２９を収容可能に構成され、バルブ室２４から収納室２７に流入する雨水を濾過する有底筒状の第２ストレーナ３３が収納室２７に取外し可能に取付けられる。この第２ストレーナ３３は弁座用開口部２４ｂを挿通可能に形成される。この実施の形態では、収納室２７を上下に仕切る水平の平板３４が設けられ、この平板３４に形成された中央孔３４ａに第２ストレーナ３３が取外し可能に取付けられる。この第２ストレーナ３３は金網を有底円筒状に成形したものであって、その外径は中央孔３４ａの内径よりわずかに小さくなるように形成され、第２ストレーナ３３の開口部周縁には中央孔３４ａの孔縁に設置可能なフランジ３３ａが形成される。この第２ストレーナ３３では、有底筒部を中央孔３４ａに挿入してそのフランジ３３ａを中央孔３４ａの孔縁に設置することにより、その収納室２７に取外し可能に取付けられる。
図８に示すように、雨水貯留槽１１の上部側壁には雨水取入口１１ａが形成され、その雨水取入口１１ａは濾過装置２０より上方に形成される。上側鉛直管２１ａの上端は雨水取入口１１ａより上方に位置するように構成される。また、下側鉛直管２１ｂの下端には雨水案内管１６の一端が接続され、雨水案内管１６の他端は雨水取入口１１ａに接続される。従って、上側鉛直管２１ａ，下側鉛直管２１ｂ及び雨水案内管１６の各内部に雨水が溜まる事態が生じうるため、この上側鉛直管２１ａ，下側鉛直管２１ｂ及び雨水案内管１６の各内部に存在する雨水を外部に排出可能なドレンバルブ１７が鉛直管２１の下端に設けられる。
【００２５】
次にこのように構成された雨水貯留装置の動作を説明する。
雨が家屋１３の屋根１３ａに降ると、雨はその屋根１３ａの傾斜に沿って流れて雨樋１４に流入して集められる。集められた雨水は雨樋１４から雨水流入管１２に進入してその雨水流入管１２の内部を流下し、上側鉛直管２１ａから濾過装置２０に達する。雨が降り始めの濾過装置２０では、雨水流通室２３内の雨水が所定量未満であるので、図１に示すように、ボール弁２９は下側案内部材３２によりバルブ室２４から雨水流通室２３に案内され、その雨水流通室２３にあって下側雨水孔２３ｂを閉塞する。従って、上側鉛直管２１ａから雨水流入室２３に雨水が流入し、雨が降り始めた際の初期雨水の大部分はリング状の突起２５の周面により受けられ、バルブ室２４に導かれて更に収納室２７に流下する。よって、雨が降り始めた際の初期雨水は比較的多くの塵埃が含まれているけれども、この塵埃が比較的多く含まれる初期雨水が雨水流通室２３から下側雨水孔２３ｂを介して下側鉛直管２１ｂに流下することを確実に防止することができる。ここで、初期雨水に含まれる比較的多くの塵埃は、収納室２７に設けられた第２ストレーナ３３に補足され、濾過された雨水が収納室２７の底部に至り、この収納室２７に貯留される。
【００２６】
雨が降り続いて雨水流入管１２の内部を流下する雨水の量が収納室２７に形成された小径孔２７ｂから外部に排出される量を超えて増加すると、収納室２７を越えて雨水流入室２３及びバルブ室２４に雨水が溜まり始め、その水位がリング状の突起２５の上端を越えると比重１未満のボール弁２９は浮上し、その後上側鉛直管２１ａから流下する比較的塵埃の少ないきれいな雨水が雨水流通室２３からその下側雨水孔２３ｂを介して下側鉛直管２１ｂに流入する。ここで、下側雨水孔２３ｂにはその下側雨水孔２３ｂを塞ぐように第１ストレーナ２６が取付けられているので、下側雨水孔２３ｂを介して下側鉛直管２１ｂに流入する雨水から、このストレーナ２６により混入する異物が除去される。
【００２７】
一方、雨水流入管１２の内部を流下する雨水の量が増加すると、バルブ室２４の内部に雨水が溜まってその水位が上昇し、雨水流通室２３の内部でボール弁２９が浮上する。図２に示すように、雨水流通室２３で浮上するボール弁２９は上側案内部材３１により雨水流通室２３からバルブ室２４に案内され、バルブ室２４において弁座用開口部２４ｂに下方から当接してバルブ室２４を密閉する。従って、図８に示すように、濾過装置２０を貯留槽１１の雨水取入口１１ａより下方に位置させても、雨水が貯留槽１１に流入せずにこのバルブ室２４における弁座用開口部２４ｂから外部に排出されるような事態は回避される。そして、上側鉛直管２１ａ、下側鉛直管２１ｂ及び雨水案内管１６の各内部に溜まった雨水の水位が上昇して雨水取入口１１ａに達した時点で雨水がその取入口１１ａから貯留槽１１の内部に流入して貯留される。貯留槽１１に貯留された雨水は蛇口１１ｂから必要に応じて取出して散水や洗車用水等として利用することができる。ここで、上側鉛直管２１ａの上端は雨水取入口１１ａより上方に位置するので、雨水が貯留槽１１に流入せずに上側鉛直管２１ａの上端から外部に排出されるような事態は回避される。
【００２８】
ここで、濾過装置２０の第１及び第２ストレーナ２６，３３には除去した異物が堆積する。このため、所定期間毎にこれらのストレーナ２６，３３を取出して洗浄する必要がある。これらのストレーナ２６，３３の取出しに際しては、雨の降っていないときに蓋体２２ｆを取外して弁座用開口部２４ｂを出現させる。すると、ボール弁２９は下側案内部材３２により案内されて雨水流通室２３にあって下側通水孔２３ｂを塞いでいるので弁座用開口部２４ｂは開放されている。このため、図３に示すように、この弁座用開口部２４ｂを介して下側案内部材３２を折り畳めば、弁座用開口部２４ｂを介して第２ストレーナ３３を収納室２７から取出すことができる。また、下側案内部材３２を折り畳んで下側通水孔２３ｂを塞いでいるボール弁２９を収納室２７に落とし込みめば、弁座用開口部２４ｂを介して第１ストレーナ３６を雨水流通室２３から取出すことができる。このため、第１及び第２ストレーナ２６，３３のハウジング２２からの取り出しが容易であり、その点検及び清掃を比較的容易に行うことができる。
【００２９】
一方、雨の降った直後であって、蓋体２４ｆを取外した段階でボール弁２９が弁座用開口部２４ｂを塞いでいたならば、排水バルブ２８の回転弁２８ｃを回転させて図７に示すように大径孔２８ｄの軸心を下側雨水孔２８ｂの軸心に合致させる。そして、収納室２７内部の雨水を速やかに外部に排出させて弁座用開口部２４ｂを開放させ、この開口部２４ｂを介して第１及び第２ストレーナ２６，３３を取出すことができる。また、排水バルブ２８を開放すれば収納室２７内部の雨水をその収納室２７に存在する塵埃とともに外部に排出させることができる。更に、降雨後にある程度の時間が経過している場合には、収納室２７の雨水は小径孔２７ｂから外部に排出され、その収納室２７は空になっているので、弁座用開口部２４ｂからバケツ又は如雨露等を用いてその収納室２７に水を流し込み、排水バルブ２８を開放することにより塵埃を雨水とともの外部に排出させることができる。
【００３０】
なお、上述した実施の形態では、上部側壁に雨水取入口１１ａが形成された雨水貯留槽１１で構成される雨水貯留装置を説明したが、図９に示すように、雨水取入口１１ａは雨水貯留槽１１の下部側壁に形成してもよい。但し、この場合、雨水貯留槽１１の内部における雨水の水位が濾過装置２０より高い時には、雨水が雨水取入口１１ａから雨水案内管１６に逆流し、濾過装置２０における小径孔２７ｂを通って外部に流出することになる。このため、下側鉛直管２１ｂの下端又は雨水案内管１６に雨水案内管１６から下側鉛直管２１ｂに向かう雨水流を防止するように構成された逆流防止弁４１を設けることを必要とする。図９に示す逆流防止弁４１は中央に丸孔４１ｂが形成された弁座４１ａと、弁座４１ａより下方に設けられ丸孔４１ｂを封止可能なボール弁４１ｃとを備え、ボール弁４１ｃが丸孔４１ｂを封止することにより雨水案内管１６から下側鉛直管２１ｂに向かう雨水流を防止するように構成される。このように逆流防止弁４１を設ければ、雨水取入口１１ａを雨水貯留槽１１の低位置、例えば底の近くに取付けることが可能になる。そして雨水取入口１１ａを雨水貯留槽１１の低位置にすれば、その雨水取入口１１ａに他端が接続されて地表に表出する雨水案内管１６を短くすることができ、この雨水案内管１６が比較的長く視認されることを防止して装置全体の美感を向上させることができる。
【００３１】
また、上述した実施の形態では、雨樋１４に接続された雨水流入管１２の下端を上側鉛直管２１ａの上端に接続する場合を示したが、雨樋１４に直接上側鉛直管２１ａの上端を接続しても良い。
更に、上述した実施の形態では、金網を有底円筒状に成形した第１及び第２ストレーナ２６，３３を説明したが、第１及び第２ストレーナ２６，３３は、雨水を濾過可能であれば、例えば樹脂からなる網を袋状に形成したものであっても良い。特に、柔軟性を有する樹脂により第１及び第２ストレーナ２６，３３を形成すれば、第１及び第２ストレーナ２６，３３を変形させた状態で弁座用開口部２４ｂから出し入れさせることが可能になり、その設計の自由度を向上させることができる。
【図面の簡単な説明】
【００３２】
【図１】本発明実施形態の濾過装置の構造を示す図５のＡ−Ａ線断面図である。
【図２】そのボール弁が弁座用開口部を塞いでバルブ室を密閉した状態を示す図１に対応する断面図である。
【図３】その下側案内部材を折り畳んだ状態を示す図１に対応する断面図である。
【図４】そのボール弁が収納室に落とし込まれた状態を示す図１に対応する断面図である。
【図５】図８に示す雨水貯留装置に用いられた濾過装置のＣ−Ｃ線断面図である。
【図６】大径孔が中央孔の軸心に直交する排水バルブを示す図１のＤ部拡大断面図である。
【図７】大径孔が中央孔の軸心に合致する排水バルブを示す図６に対応する断面図である。
【図８】その濾過装置を用いた雨水貯留装置の構成図である。
【図９】その濾過装置を用いた別の雨水貯留装置の構成図である。
【符号の説明】
【００３３】
１０  雨水貯留装置
１１  雨水貯留槽
１１ａ  雨水取入口
１６  雨水案内管
１７  ドレンバルブ
２０  濾過装置
２１ａ  上側鉛直管
２１ｂ  下側鉛直管
２２  ハウジング
２３  雨水流通室
２３ａ  上側雨水孔
２３ｂ  下側雨水孔
２４  バルブ室
２４ｂ  弁座用開口部
２５  突起
２６  第１ストレーナ
２７  収納室
２７ｂ  小径孔
２９  ボール弁
３１  上側案内部材
３２  下側案内部材
３３  第２ストレーナ
４１  逆流防止弁
【図１】
2006144504.tif 000003
【図２】
2006144504.tif 000004
【図３】
2006144504.tif 000005
【図４】
2006144504.tif 000006
【図５】
2006144504.tif 000007
【図６】
2006144504.tif 000008
【図７】
2006144504.tif 000009
【図８】
2006144504.tif 000010
【図９】
2006144504.tif 000011